(57)【要約】【課題】装置の大型化やコストの上昇を抑え、手軽にレーベル面に画像を描画することができる描画装置、情報装置、および記録メディアを提供する。【解決手段】所定の第１の光の照射を受けることによりデータがアクセスされるデータ領域が設けられたデータ面と、データ面の裏側の、所定の第２の光の照射を受けることにより画像が描画される描画面とを有する記録メディアを保持する保持部と、保持部に保持された記録メディアの描画面側から第１の光を照射する照射部と、保持部に保持された記録メディアの描画面側から第２の光を照射して描画面に画像を描画する描画部と、描画面側から照射された第１の光を前記データ面のデータ領域に導く光案内部とを備えた。【選択図】        図５
2008090884.tif 000002
【特許請求の範囲】
【請求項１】
所定の第１の光の照射を受けることによりデータがアクセスされるデータ領域が設けられたデータ面と、前記データ面の裏側の、所定の第２の光の照射を受けることにより画像が描画される描画面とを有する記録メディアを保持する保持部と、
前記保持部に保持された記録メディアの前記描画面側から前記第１の光を照射する照射部と、
前記保持部に保持された記録メディアの前記描画面側から前記第２の光を照射して該描画面に画像を描画する描画部と、
前記描画面側から照射された第１の光を前記データ面のデータ領域に導く光案内部とを備えたことを特徴とする描画装置。
【請求項２】
前記照射部が、前記第１の光を照射するに当たり、前記描画部によって描画された画像に応じたデータを表した光を照射して前記データ領域に該データを記録するものであることを特徴とする請求項１記載の描画装置。
【請求項３】
前記光案内部が、前記第１の光を前記データ面のデータ領域に導いた結果、該データ面から戻ってくる光を前記描画面側に戻すものであり、
前記光案内部によって前記描画面側に戻ってくる光を受光することにより前記データ面に記録されているデータを読み出す読出部を備え、
前記描画部が、前記読出部によって読み出されたデータに応じた画像を描画するものであることを特徴とする請求項１記載の描画装置。
【請求項４】
前記保持部が、前記記録メディアとして、前記第１の光および前記第２の光のうち少なくとも一方の光が前記データ面および前記描画面の一方から他方へと透過する、前記データ面側では前記データ領域内に光学的に開口した窓部を有する記録メディアを保持するものであり、
前記照射部が、前記記録メディアの少なくとも前記窓部に前記第１の光を照射するものであり、
前記光案内部が、前記窓部を透過してきた第１の光を前記データ領域に導くものであることを特徴とする請求項１記載の描画装置。
【請求項５】
所定の第１の光の照射を受けることによりデータがアクセスされるデータ領域が設けられたデータ面と、前記データ面の裏側の、所定の第２の光の照射を受けることにより画像が描画される描画面とを有する記録メディアを保持する保持部と、
前記保持部に保持された記録メディアの前記データ面側から前記第１の光を照射することで前記データ領域に対するデータのアクセスを行うアクセス部と、
前記保持部に保持された記録メディアの前記データ面側から前記第２の光を照射する照射部と、
前記データ面側から照射された第２の光を前記描画面上に導く光案内部とを備えたことを特徴とする情報装置。
【請求項６】
前記照射部が、前記第２の光を照射するに当たり、前記アクセス部によってアクセスされたデータに応じた画像を表した光を照射して前記描画面に該画像を描画するものであることを特徴とする請求項５記載の情報装置。
【請求項７】
前記保持部が、前記記録メディアとして、前記第１の光および前記第２の光のうち少なくとも一方の光が前記データ面および前記描画面の一方から他方へと透過する、前記データ面側では前記データ領域内に光学的に開口した窓部を有する記録メディアを保持するものであり、
前記照射部が、前記記録メディアの少なくとも前記窓部に前記第２の光を照射するものであり、
前記光案内部が、前記窓部を透過してきた第２の光を前記描画面上に導くものであることを特徴とする請求項５記載の情報装置。
【請求項８】
所定の第１の光の照射を受けることによりデータがアクセスされるデータ領域が設けられたデータ面と、
前記データ面の裏側の、所定の第２の光の照射を受けることにより画像が描画される描画面と、
前記第１の光および前記第２の光のうち少なくとも一方の光が前記データ面および前記描画面の一方から他方へと透過する、前記データ面側では前記データ領域内に光学的に開口した窓部とを有することを特徴とする記録メディア。
【発明の詳細な説明】
【技術分野】
【０００１】
本発明は、記録メディアのレーベル面に画像を描画する描画装置、記録メディアに対して情報アクセスを行う情報装置、および描画装置および情報装置に適用される記録メディアに関する。
【背景技術】
【０００２】
近年、画像データや音声データなどといった各種データを記録する大容量な記録メディアとして、ＣＤ−Ｒ（Ｃｏｍｐａｃｔ  Ｄｉｓｋ  Ｒｅｃｏｒｄａｂｌｅ）、ＣＤ−ＲＷ（Ｃｏｍｐａｃｔ  Ｄｉｓｋ  Ｒｅｗｒｉｔａｂｌｅ）、ＤＶＤ（Ｄｉｇｉｔａｌ  Ｖｅｒｓａｔｉｌｅ  Ｄｉｓｋ）等が普及している。このような記録メディアの多くは、データが記録されるデータ面と、そのデータ面とは反対側の面であって、例えば、音楽の音声データを記録した場合に、その音楽の曲名や作曲者等を視覚的に確認するためのレーベル画像が描画されるレーベル面とを有している。
【０００３】
また、近年では、レーベル画像を単に記録内容の確認のためだけに利用するのではなく、レーベル画像を使って記録メディアに付加価値を与えることも考案されてきている。例えば、特許文献１には、データ面に商品カタログ等を表わすデータを記録しておき、レーベル面にセールスマンの氏名や顔画像などを印刷する技術について記載されている。この特許文献１に記載された技術によると、セールスマンにとっては、記録メディアを連絡先と詳しい商品の説明とが記録された電子名刺として利用することができ、セールスの効率を向上させることができる。また、顧客にとっては、商品カタログと名刺とを嵩張らずに一緒に保管することができ、整理の手間を省くことができる。
【０００４】
レーベル面にレーベル画像を描画する方法としては、例えば、レーベル画像が印刷されたシール等をレーベル面に貼付することで、レーベル面にレーベル画像を間接的に描画する方法や、レーベル画像をインクジェットプリンタ等を使ってレーベル面に直接に描画する方法等が挙げられる。また、近年では、データが光で記録される記録面と、その光でレーベル画像が描画されるレーベル面とを有する記録メディアや、そのような記録メディアのレーベル面にレーベル画像を光で描画する装置なども提案されている（例えば、特許文献１、または特許文献２参照）。
【０００５】
ここで、このようなレーベル画像の編集におけるユーザの負担を軽減する方法として、以下のような方法が提案されている。例えば、レーベル画像の材料として使われる複数の画像部品を、予め様々なデータそれぞれに対応付けて所定のデータベースに格納しておき、レーベル画像を描画する際には、まず、記録メディアのデータ面に記録された記録データを読み取り、データベース内でその記録データに対応付けられている画像部品を所定のレイアウトで組み合わせてレーベル画像を編集し、そのレーベル画像をレーベル面に描画するという方法が提案されている（例えば、特許文献３参照）。
【特許文献１】特開２００２−２０３３２１号公報
【特許文献２】特開２００４−２１３７９６号公報
【特許文献３】特開２００５−２７６３１３号公報
【発明の開示】
【発明が解決しようとする課題】
【０００６】
特許文献３に示す技術では、データ面に記録された記録データに応じたレーベル画像が自動的に編集されるという点において、レーベル画像の編集におけるユーザの負担が軽減されている。しかし、記録データのバージョンナンバーや、記録データのアクセス許可者名など、ちょっとした文字等をレーベル面に描画する場合であっても、記録データを読み取るためにデータ面を光照射部に向けて装置内にセットされた記録メディアを、レーベル面が光照射部を向くように引っくり返す必要があり、ユーザにとっては大変面倒な作業であるという問題がある。
【０００７】
この問題を解決する方法としては、例えば、記録メディアのデータ面側およびレーベル面側それぞれに光照射部を設け、いわゆるダブルヘッド型の装置を構成することが考えられる。しかし、近年、データの記録とレーベル画像の描画とを同じ光で行うことができる記録メディアが提供されてきており、ダブルヘッド型の装置では、この記録メディアの利点を十分に活かすことができず、装置全体の大型化や、コストの上昇を招いてしまうという問題がある。
【０００８】
本発明は、上記事情に鑑み、装置の大型化やコストの上昇を抑え、手軽にレーベル面に画像を描画することができる描画装置、情報装置、および記録メディアを提供することを目的とする。
【課題を解決するための手段】
【０００９】
上記目的を達成する本発明の描画装置は、所定の第１の光の照射を受けることによりデータがアクセスされるデータ領域が設けられたデータ面と、データ面の裏側の、所定の第２の光の照射を受けることにより画像が描画される描画面とを有する記録メディアを保持する保持部と、
保持部に保持された記録メディアの描画面側から第１の光を照射する照射部と、
保持部に保持された記録メディアの描画面側から第２の光を照射して描画面に画像を描画する描画部と、
描画面側から照射された第１の光を前記データ面のデータ領域に導く光案内部とを備えたことを特徴とする。
【００１０】
本発明の描画装置によると、記録メディアの描画面側から第２の光が照射されることによって、描画面にレーベル画像が描画されるとともに、記録メディアの描画面側から第１の光が照射されて、その第１の光がデータ面側に導かれることによって、データ面に対して情報アクセスが行われる。したがって、記録メディアを引っくり返さずに、レーベル画像の描画と情報アクセスとを行うことができる。
【００１１】
また、本発明の描画装置において、上記照射部が、第１の光を照射するに当たり、描画部によって描画された画像に応じたデータを表した光を照射してデータ領域にデータを記録するものであることが好ましい。
【００１２】
描画された画像に応じたデータがデータ領域に記録されることによって、データ面へのアクセスを行っている間であっても、描画面に描画された画像を容易に確認することができる。
【００１３】
また、本発明の描画装置において、
「上記光案内部が、第１の光をデータ面のデータ領域に導いた結果、データ面から戻ってくる光を描画面側に戻すものであり、
上記光案内部によって描画面側に戻ってくる光を受光することによりデータ面に記録されているデータを読み出す読出部を備え、
上記描画部が、読出部によって読み出されたデータに応じた画像を描画するものである」
という形態は好適である。
【００１４】
本発明の好適な描画装置によると、記録メディアを引っくり返さずに、データ面に記録されたデータに応じた画像を描画面に確実に描画することができる。
【００１５】
また、本発明の描画装置において、上記保持部が、記録メディアとして、第１の光および第２の光のうち少なくとも一方の光がデータ面および描画面の一方から他方へと透過する、データ面側ではデータ領域内に光学的に開口した窓部を有する記録メディアを保持するものであり、
上記照射部が、記録メディアの少なくとも窓部に前記第１の光を照射するものであり、
上記光案内部が、窓部を透過してきた第１の光をデータ領域に導くものであることが好ましい。
【００１６】
窓部が設けられた記録メディアが適用されることにより、光案内部として、窓部を透過してきた光をデータ領域に導くミラーなどを適用することができ、装置構成が単純化されることによって、装置の大型化を抑えることができる。
【００１７】
また、上記目的を達成する本発明の情報装置は、所定の第１の光の照射を受けることによりデータがアクセスされるデータ領域が設けられたデータ面と、データ面の裏側の、所定の第２の光の照射を受けることにより画像が描画される描画面とを有する記録メディアを保持する保持部と、
保持部に保持された記録メディアのデータ面側から第１の光を照射することでデータ領域に対するデータのアクセスを行うアクセス部と、
保持部に保持された記録メディアのデータ面側から第２の光を照射する照射部と、
データ面側から照射された第２の光を描画面上に導く光案内部とを備えたことを特徴とする。
【００１８】
本発明の情報装置によると、記録メディアのデータ面側から第１の光が照射されることによって、データ面に対して情報アクセスが行われるとともに、記録メディアのデータ面側から第２の光が照射されて、その第２の光が描画面側に導かれることによって、描画面にレーベル画像が描画される。したがって、情報アクセスを行った後などでも、記録メディアを引っくり返さずに、レーベル画像の描画を行うことができる。
【００１９】
また、本発明の情報装置において、上記照射部が、第２の光を照射するに当たり、アクセス部によってアクセスされたデータに応じた画像を表した光を照射して描画面に画像を描画するものであることが好適である。
【００２０】
本発明の好適な情報装置によると、データ面に記録されたデータに応じた画像を手軽に描画面に描画することができる。
【００２１】
また、本発明の情報装置において、上記保持部が、記録メディアとして、第１の光および第２の光のうち少なくとも一方の光がデータ面および描画面の一方から他方へと透過する、データ面側ではデータ領域内に光学的に開口した窓部を有する記録メディアを保持するものであり、
上記照射部が、記録メディアの少なくとも窓部に第２の光を照射するものであり、
光案内部が、窓部を透過してきた第２の光を描画面上に導くものであることが好ましい。
【００２２】
窓部が設けられた記録メディアが適用されることにより、光案内部として、描画面側に窓部を透過してきた光を反射するミラーなどを適用することができ、装置の大型化を抑えることができる。
【００２３】
また、上記目的を達成する本発明の記録メディアは、所定の第１の光の照射を受けることによりデータがアクセスされるデータ領域が設けられたデータ面と、
データ面の裏側の、所定の第２の光の照射を受けることにより画像が描画される描画面と、
上記第１の光および上記第２の光のうち少なくとも一方の光がデータ面および描画面の一方から他方へと透過する、データ面側ではデータ領域内に光学的に開口した窓部とを有することを特徴とする。
【００２４】
本発明の記録メディアによると、描画面およびデータ面のうちの一方の面側から照射された光を、窓部を透過させて他方の面側に導くことができ、記録メディアを引っくり返さずに、情報アクセスやレーベル画像の描画を行うことができる。
【発明の効果】
【００２５】
本発明によれば、装置の大型化やコストの上昇を抑え、手軽にレーベル面に画像を描画することができる。
【発明を実施するための最良の形態】
【００２６】
以下図面を参照して本発明の実施の形態を説明する。
【００２７】
図１は、本発明の画像描画装置の一実施形態が適用されたコンピュータシステム１０の外観斜視図である。
【００２８】
この図１に示すコンピュータシステム１０は、パーソナルコンピュータ１００と、そのパーソナルコンピュータ１００に接続されたＤＶＤドライブ２００とで構成されている。
【００２９】
パーソナルコンピュータ１００は、外観構成上、本体装置１１０、その本体装置１１０からの指示に応じて表示画面１２１上に画像を表示する画像表示装置１２０、本体装置１１０に、キー操作に応じた各種の情報を入力するキーボード１３０、および、表示画面１２１上の任意の位置を指定することにより、その位置に表示された、例えばアイコンなどに応じた指示を入力するマウス１４０を備えている。この本体装置１１０は、外観上、フレキシブルディスク（以下、ＦＤと省略する）を装填するためのＦＤ装填口１１０ａ、およびＣＤ−ＲＯＭを装填するためのＣＤ−ＲＯＭ装填口１１０ｂを有する。
【００３０】
ＤＶＤドライブ２００は、本発明の描画装置および情報装置それぞれの一実施形態として動作するものであり、外観上、ＤＶＤを装填するためのＤＶＤ装填口２００ａを有する。このＤＶＤドライブ２００は、データが光で記録されるデータ面と、その光でレーベル画像が描画されるレーベル面とを有するレーベル描画型のＤＶＤ３００に対応したものであり、このようなＤＶＤ３００に対する、レーザ光によるデータ面へのデータの記録と、そのレーザ光によるレーベル面へのレーベル画像の描画とを実行する機能を有している。ＤＶＤ３００は、本発明にいう記録メディアの一例に相当する。
【００３１】
ＤＶＤドライブ２００では、基本的には、データの記録の際には、ＤＶＤ３００は、データ面が図中で下向きにされて装填され、レーベル画像の描画の際には、逆に、レーベル面が下向きにされて装填される。また、本実施形態のＤＶＤドライブ２００は、レーベル面が図中で下向きにされて装填されている状態においても、ＤＶＤ３００をひっくり返さずに、データ面上の所定の領域に対して情報アクセスを行うことができる。この情報アクセス方法については、後で詳しく説明する。
【００３２】
以下、このＤＶＤドライブ２００の内部構成について説明する。
【００３３】
図２は、図１に示すＤＶＤドライブ２００の内部構成を示すハードウェアブロック図である。
【００３４】
この図２に示すＤＶＤドライブ２００は、保持部２００ａ、光ピックアップ２０１、スピンドルモータ２０２、回転検出器２０３、ＲＦ（Ｒａｄｉｏ  Ｆｒｅｑｕｅｎｃｙ）アンプ２０４、デコーダ２０５、サーボ回路２０６、ステッピングモータ２０７、モータドライバ２０８、インタフェース回路２０９、バッファメモリ２１０、エンコーダ２１１、ストラテジ回路２１２、データ変換器２１４、レーザパワー自動制御（Ａｕｔｍａｔｉｃ  Ｌａｓｅｒ  Ｐｏｗｅｒ  Ｃｏｎｔｒｏｌ：ＡＬＰＣ）回路２１５、レーザドライバ２１６、制御回路２１７、およびミラー２２１，２２２を備えている。このＤＶＤドライブ２００は、図１にも示すパーソナルコンピュータ１００に、インタフェース回路２０９を介して接続されている。保持部２００ａは、本発明にいう保持部の一例にあたり、ミラー２２１，２２２は、本発明にいう光案内部の一例に相当する。また、レーザダイオード２０１ａ、ＡＬＰＣ回路２１５、レーザドライバ２１６、および制御回路２１７を合わせたものは、本発明にいうアクセス部の一例にあたり、レーザダイオード２０１ａ、レーザドライバ２１６、および制御回路２１７を合わせたものは、本発明にいう描画部の一例に相当し、受光素子２０１ｂは、本発明にいう読出部の一例に相当する。
【００３５】
まず、このＤＶＤドライブ２００における、ＤＶＤ３００へのデータの記録について説明する。
【００３６】
上述したようにこのＤＶＤドライブ２００は、レーベル描画型のＤＶＤに対応した装置であり、このＤＶＤドライブ２００に装填されるＤＶＤ３００は、データが光で記録されるデータ面と、その光でレーベル画像が描画されるレーベル面とを有している。
【００３７】
データの記録時には、ＤＶＤ３００は、データ面が光ピックアップ２０１と対向するように、データ面を下に向けてＤＶＤドライブ２００に装填される。装填されたＤＶＤ３００は、保持部２００ａで保持された状態で、スピンドルモータ２０２によって回転駆動される。また、このときには、記録に最適な回転速度が制御回路２１７からサーボ回路２０６に伝えられる。さらに、スピンドルモータ２０２の回転速度が回転検出器２０３によって検出され、その回転速度を表わす速度信号もサーボ回路２０６に伝えられる。サーボ回路２０６は、両者を比較し、速度信号が表わす回転速度が、上記の最適な回転速度となるようにスピンドルモータ２０２の回転速度を制御する。
【００３８】
光ピックアップ２０１は、赤色域の波長のレーザ光を発するレーザダイオード２０１ａ、光を受光する受光素子２０１ｂ、および集光レンズ等からなる光学系を備えている。本実施形態では、レーザダイオード２０１ａが発するレーザ光は、データの記録と再生、レーベル画像の描画、および光学系の微調整に使われる。
【００３９】
上記のように制御されたされた回転速度で回転するＤＶＤ３００のデータ面に対して、レーザダイオード２０１ａから発し集光レンズで集光されたレーザ光が照射されることで、そのデータ面にデータが記録される。このとき、記録に最適なレーザ光強度が制御回路２１７からＡＬＰＣ回路２１５に伝えられる。また、光ピックアップ２０１は、レーザダイオード２０１ａが発するレーザ光の強度をモニタするセンサを有している。データ記録時には、レーザダイオード２０１ａが発するレーザ光の強度が、このセンサによってモニタされＡＬＰＣ回路２１５に伝えられる。ＡＬＰＣ回路２１５は、モニタされた強度と上記の記録に最適なレーザ光強度とを比較し、両者を一致させるための制御信号をレーザドライバ２１６に送る。また、光ピックアップ２０１は、集光されたレーザ光のデータ面上での微小な位置決めを行なうサーボ機構や、集光レンズに対するフォーカス制御を行うフォーカス機構を有している。本実施形態では、データ記録のためのレーザ光がデータ面で反射されたときのその反射光を利用して、これらの機構の動作が、制御回路２１７からの指示に従ったサーボ回路２０６によって制御される。これにより、正確に集光されたレーザ光が、ＤＶＤ３００のデータ面上の目標位置に正確に照射されることとなる。
【００４０】
ここで、ＤＶＤ３００に記録されるデータは、インタフェース回路２０９を介してパーソナルコンピュータ１００から供給され、バッファメモリ２１０に一時的に記憶される。そして、このバッファメモリ２１０内のデータは、エンコーダ２１１によって適宜に読み出され、所定の符号化処理によってＤＶＤ３００への記録に適した符号化データに変換される。この符号化データはストラテジ回路２１２に供給され、このストラテジ回路２１２によって、時間軸補正等の補正処理が施された後に、レーザドライバ２１６に供給される。
【００４１】
レーザドライバ２１６は、光ピックアップ２０１の第１のレーザダイオード２０１ａを、この補正処理を経た符号化データに従って駆動する駆動信号を生成してその光ピックアップ２０１に送る。そして、光ピックアップ２０１が、上記の符号化データに従って変調されたレーザ光をデータ面に照射することで、その符号化データが、レーザ光の照射によって生じるマークでデータ面に記録されることとなる。このとき、このレーザドライバ２１６は、上記の駆動信号を生成する際には、その駆動信号に、ＡＬＰＣ回路２１５から送られた制御信号を反映させるので、データの記録が、常に、最適なレーザ光強度で行なわれることとなる。
【００４２】
次に、このＤＶＤドライブ２００における、ＤＶＤ３００に記録されたデータの再生について説明する。
【００４３】
このデータの再生の際にも、ＤＶＤ３００は、データ面が光ピックアップ２０１に対向するように装填され、スピンドルモータ２０２によって最適な回転速度で回転される。
【００４４】
また、上述したように、このデータの再生にも、光ピックアップ２０１におけるレーザダイオード２０１ａを発する赤色域のレーザ光が使われる。
【００４５】
データの再生時には、このレーザダイオード２０１ａが発しＤＶＤ３００のデータ面で反射されたレーザ光が、光ピックアップ２０１の受光素子で受光される。このとき、ＤＶＤ３００のデータ面で反射されるレーザ光の強度は、そのデータ面における上記のマークの有無に従って変化する。マークの有無は上記の符号化データに対応しているので、データ面で反射されたレーザ光が受光素子２０１ｂで受光されることによって得られる受光データは、そのデータ面に記録されている符号化データと同等な符号化データとなる。受光素子２０１ｂで得られた受光データは、ＲＦアンプ２０４によって増幅され、デコーダ２０５に送られる。デコーダ２０５は、その送られた受光データに所定の復号化処理を施すことによって、その受光データからデータを再生して制御回路２１７に送る。制御回路２１７は、その再生されたデータをインタフェース回路２０９を介してパーソナルコンピュータ１００に送る。また、このようなデータの再生時にも、レーザ光の強度をモニタするセンサによるモニタ結果に応じてレーザ光の強度がデータの再生に最適な強度にＡＬＰＣ回路２１５によって制御され、光ピックアップ２０１が有するサーボ機構やフォーカス機構は、正確に集光されたレーザ光が、ＤＶＤ３００のデータ面上の目標位置に正確に照射されるようにサーボ回路２０６によって制御される。
【００４６】
次に、このＤＶＤドライブ２００における、ＤＶＤ３００へのレーベル画像の描画について説明する。
【００４７】
上述したように、レーベル画像の描画の際にも、光ピックアップ２０１におけるレーザダイオード２０１ａが発する赤色域のレーザ光が使われる。また、レーベル画像の描画が行われる際には、ＤＶＤ３００が、レーベル面が光ピックアップ２０１に対向するように、このレーベル面を下に向けて装填される。
【００４８】
レーベル画像を表わす描画データは、インタフェース回路２０９を介してパーソナルコンピュータ１００から供給され、バッファメモリ２１０に一時的に記憶される。そして、このバッファメモリ２１０内の描画データは、データ変換器２１４によって適宜に読み出され、その描画データが表わすレーベル画像を階調値で表現した階調画像データに変換される。この階調画像データが、レーザドライバ２１６に供給される。そして、レーザドライバ２１６が、光ピックアップ２０１のレーザダイオード２０１ａを、この階調画像データに従って駆動する駆動信号を生成する。
【００４９】
ここで、本実施形態で使用されるＤＶＤ３００のレーベル面は赤色域の光が照射されると、その光に反応して照射された部分が薄まる青色のレーベル色を有している。そして、このレーベル色の薄まりは、光の照射回数が多いほど強まる。本実施形態では、階調画像データが表わすレーベル画像の各部の階調値に従って、上記の駆動信号によって適宜にオン／オフされるレーザ光で、回転駆動されているＤＶＤ３００のレーベル面が繰返し走査される。その結果、レーベル面における、レーベル画像の各部に対応する部分に、そのレーベル画像の各部の階調値に応じた回数でレーザ光が照射される。これにより、レーベル面の各部分のレーベル色が適宜に薄められてレーベル画像が描画されることとなる。
【００５０】
また、このようなレーベル画像の描画時にも、レーザ光の強度をモニタするセンサによるモニタ結果に応じてレーザ光の強度が描画に最適な強度にＡＬＰＣ回路２１５によって制御され、光ピックアップ２０１が有するサーボ機構やフォーカス機構は、正確に集光されたレーザ光が、ＤＶＤ３００のデータ面上の目標位置に正確に照射されるようにサーボ回路２０６によって制御される。
【００５１】
ＤＶＤドライブ２００は、基本的には、以上に説明した構成となっている。
【００５２】
ここで、本実施形態のＤＶＤドライブ２００では、レーベル画像を描画する描画モードとして、パーソナルコンピュータ１００から送られてきた描画データに基づいたレーベル画像の描画のみを行う「基本モード」と、描画データに基づいたレーベル画像をレーベル面に描画するとともに、その描画内容をデータ面に記録する「描画記録モード」と、データ面に記録された記録データを読み取って、その記録データに応じたレーベル画像をレーベル面に描画する「読取描画モード」とが用意されている。以下では、「描画記録モード」および「読取描画モード」それぞれの処理について詳しく説明する。
【００５３】
図３は、ＤＶＤ３００の概略構成図である。
【００５４】
図３のパート（Ａ）には、ＤＶＤ３００のデータ面３００Ａが示されており、図３のパート（Ｂ）には、ＤＶＤ３００を切断線ＡＡ´で切断したときの断面図が示されている。
【００５５】
図３のパート（Ａ）に示すように、ＤＶＤ３００のデータ面３００Ａには、複数のトラック３１１が設けられており、このトラック３１１に沿ってデータが記録される。また、ＤＶＤ３００には、図２に示すレーザダイオード２０１ａから発せられる赤色光が透過する窓部３５０が設けられており、窓部３５０に近接して、レーベル画像に関する情報が記録される描画情報記録領域３５０ａが用意されている。データ面３００Ａは、本発明にいうデータ面の一例にあたり、レーベル面３００Ｂは、本発明にいう描画面の一例に相当し、窓部３５０は、本発明にいう窓部の一例に相当する。
【００５６】
また、図３のパート（Ｂ）に示すように、ＤＶＤ３００は、データ面３００Ａ側から順に、半透膜３１０、データ層３２０、反射層３３０、およびレーベル層３４０で構成されており、窓部３５０は、それらを貫通している。
【００５７】
本実施形態のＤＶＤドライブ２００では、レーザダイオード２０１ａから赤色のレーザ光が発せられ、窓部３５０としては、赤色のレーザ光を透過する高機能膜（例えば、日刊工業新聞、２００４年１２月２７日版６ページ目参照）などが適用される。また、青紫色域のレーザ光で情報アクセスおよび画像描画が行われる次世代ＤＶＤドライブでは、青色レーザ光を透過する硼珪酸ガラス（特開２００１−２８３４８３号公報参照）などを適用することができる。
【００５８】
まずは、「描画記録モード」について説明する。
【００５９】
図４は、描画記録モードにおける一連の処理の流れを示すフローチャート図であり、図５は、ＤＶＤ３００に施される処理を説明するための図である。
【００６０】
まず、ユーザは、レーベル面３００Ｂを下に向けて、ＤＶＤ３００をＤＶＤドライブ２００に装填する（図４のステップＳ１１）。
【００６１】
続いて、ユーザは、図１のパーソナルコンピュータ１００を使って、ＤＶＤ３００のレーベル面３００Ｂに描画するレーベル画像を編集し、「描画記録モード」の実行を指示する。
【００６２】
「描画記録モード」の実行が指示されると、編集されたレーベル画像を表わす描画データが、パーソナルコンピュータ１００からＤＶＤドライブ２００に供給される（図４のステップＳ１２）。この例では、ユーザによって、ＤＶＤ３００のタイトル「社内情報１」と、ＤＶＤ３００の所有者名「営業一課」とが編集され、それらの描画位置が決定されることにより、「社内情報」および「営業一課」という文字を示す描画データがＤＶＤ３００に供給される。
【００６３】
ＤＶＤドライブ２００に供給された描画データは、インタフェース回路２０９を介してバッファメモリ２１０に一時的に記憶され、データ変換器２１４によって適宜に読み出されて、レーベル画像を階調値で表現した階調画像データに変換された後、レーザドライバ２１６に供給される。レーザドライバ２１６では、供給された階調画像データに基づいて、レーザダイオード２０１ａの駆動信号が生成される。
【００６４】
続いて、図５のパート（Ｔ１１）に示すように、ＤＶＤ３００が回転され、さらに、光ピックアップ２０１がＤＶＤ３００の半径方向に移動されながら、レーザドライバ２１６で生成された駆動信号に従って、レーザダイオード２０１ａからレーザ光Ｌが照射／停止される。その結果、レーベル面３００Ｂに、レーベル画像が描画される（図４のステップＳ１３）。
【００６５】
この例では、図５のパート（Ｔ１２）に示すように、レーベル面３００Ｂに、「社内情報１」というＤＶＤ３００のタイトルと、「営業一課」というＤＶＤ３００の所有者名が描画されている。
【００６６】
以上のようにしてレーベル画像が描画されると、バッファメモリ２１０に記録された描画データがエンコーダ２１１によって読み出されて符号化データに変換され、変換後の符号化データがストラテジ回路２１２に供給されて、レーザドライバ２１６に供給される。レーザドライバ２１６では、供給された符号化データに基づいて、レーザダイオード２０１ａの駆動信号が生成される。
【００６７】
続いて、図５のパート（Ｔ１３）に示すように、ＤＶＤ３００が回転されて、窓部３５０が光ピックアップ２０１に対向する位置に到達するタイミングで、レーザドライバ２１６で生成された駆動信号に従って、レーザダイオード２０１ａからレーザ光Ｌが照射される。
【００６８】
レーザダイオード２０１ａから照射されたレーザ光Ｌは、窓部３５０を通過し、２枚のミラー２２１，２２２によってデータ面３００Ａ上の描画情報記録領域３５０ａ（図３参照）に導かれる。その結果、データ面３００Ａ上の描画情報記録領域３５０ａには、レーベル面３００Ｂに描画されたレーベル画像に関する情報が記録される。この例では、描画情報記録領域３５０ａに、図５のパート（Ｔ１２）に示すレーベル面３００Ｂに描画されたＤＶＤ３００のタイトル「社内情報１」と、ＤＶＤ３００の所有者名「営業一課」とが示されたテキストデータが記録される。
【００６９】
このように、本実施形態によると、ＤＶＤ３００にレーベル画像を描画した後、ＤＶＤ３００を引っくり返さずに、描画内容をデータ面３００Ａに記録することができる。また、描画内容がデータ面３００Ａに記録されることにより、データアクセス時に、レーベル面３００Ｂの描画内容を確認することができる。
【００７０】
続いて、「読取描画モード」について説明する。
【００７１】
図６は、読取描画モードにおける一連の処理の流れを示すフローチャート図であり、図７は、ＤＶＤ３００に施される処理を説明するための図である。
【００７２】
ここでは、データ面３００Ａへのデータ記録の際に、図３に示す描画情報記録領域３５０ａに、ＤＶＤ３００のタイトル「社内情報１」と所有者名「山田太郎」が、その記録されたデータの属性情報として予め記録されるものとして説明する。
【００７３】
「読取描画モード」においても、ユーザによって、ＤＶＤ３００が、レーベル面３００Ｂを下に向けてＤＶＤドライブ２００に装填される（図６のステップＳ２１）。
【００７４】
続いて、ユーザによって、図１のパーソナルコンピュータ１００を使って、「読取描画モード」の実行が指示される。
【００７５】
「読取描画モード」の実行が指示されると、図７のパート（Ｔ２１）に示すように、ＤＶＤ３００が回転され、窓部３５０が光ピックアップ２０１に対向する位置に到達するタイミングで、レーザダイオード２０１ａから情報読み取り用のレーザ光Ｌが照射される。
【００７６】
レーザダイオード２０１ａから照射された読み取り用のレーザ光Ｌは、窓部３５０を通過し、２枚のミラー２２１，２２２によってデータ面３００Ａ上の描画情報記録領域３５０ａ（図３参照）に導かれる。さらに、描画情報記録領域３５０ａで情報読み取り用のレーザ光Ｌが反射されたレーザ光Ｒは、２枚のミラー２２１，２２２によって窓部３５０に導かれ、窓部３５０を通過して、光ピックアップ２０１の受光素子２０１ｂで受光される。
【００７７】
受光素子２０１ｂで得られた受光データは、図２に示すＲＦアンプ２０４およびデコーダ２０５によって再生データに変換されて、再生データが制御回路２１７に伝えられる（図６のステップＳ３２）。
【００７８】
制御回路に伝えられた再生データは、バッファメモリ２１０に一時的に記憶され、データ変換器２１４によって読み出されて階調画像データに変換された後、レーザドライバ２１６に供給されて、階調画像データに基づいた駆動信号が生成される。
【００７９】
続いて、図７のパート（Ｔ２２）に示すように、レーザダイオード２０１ａからレーベル画像描画用のレーザ光Ｗが照射／停止され、レーベル面３００Ｂに、受光データに基づいたレーベル画像が描画される（図６のステップＳ２３）。
【００８０】
この例では、図７のパート（Ｔ１２）に示すように、描画情報記録領域３５０ａに記録されていた、ＤＶＤ３００のタイトル「社内情報１」、および所有者名「山田太郎」が描画されている。
【００８１】
このように、本実施形態によると、ＤＶＤ３００を何度も装填しなおす手間を省き、手軽にデータ面に記録された記録データに応じたレーベル画像を描画することができる。
【００８２】
以上で、本発明の第１実施形態の説明を終了し、本発明の第２実施形態について説明する。本発明の第２実施形態は、ミラーの配置位置と、ＤＶＤの構成などが第１実施形態のＤＶＤドライブとは異なるが、それ以外は同様の構成を有しているため、図２を第２実施形態の説明でも流用し、第１実施形態との相違点に注目して説明する。
【００８３】
本発明の第２実施形態のＤＶＤは、第１実施形態のＤＶＤ３００とは異なり、窓部が設けられておらず、本発明の第２実施形態のＤＶＤドライブは、第１実施形態のＤＶＤドライブ２００とは異なり、ミラー２２１，２２２が保持部２００ａに保持されたＤＶＤの脇に配置されている。
【００８４】
また、本実施形態のＤＶＤドライブでは、レーベル画像を描画する描画モードとして、第１実施形態における「基本モード」と同様に、レーベル面を光ピックアップに向けた状態でレーベル画像を描画する「基本モード」と、データ面に対して情報アクセスを実行し、データ面を光ピックアップに向けたままでレーベル画像を描画する「アクセス描画モード」とが用意されている。以下では、「アクセス描画モード」の処理について詳しく説明する。
【００８５】
図８は、本発明の第２実施形態のＤＶＤドライブにおいて、「アクセス描画モード」でレーベル画像を描画する一連の処理の流れを示すフローチャート図であり、図９は、ＤＶＤに施される処理を説明するための図である。
【００８６】
まず、ユーザは、図９のパート（Ｔ３１）に示すように、データ面３００Ａを下（光ピックアップ側）に向けて、ＤＶＤ３００´をＤＶＤドライブ２００に装填する（図８のステップＳ３１）。
【００８７】
続いて、ユーザは、図１のパーソナルコンピュータ１００を使って、ＤＶＤ３００´のデータ面３００Ａへの情報アクセスと、「アクセス描画モード」の実行を指示する。
【００８８】
ＤＶＤドライブでは、パーソナルコンピュータ１００から伝えられたアクセス指示に従って、ＤＶＤ３００´のデータ面３００Ａに対して情報アクセスが実行される。この例では、パーソナルコンピュータ１００から、バージョン番号が付された記録データが伝えられ、その記録データがデータ面３００Ａに書き込まれる。
【００８９】
データ面３００Ａへの情報アクセスが終了すると、図２に示す制御回路２１７によって、アクセスされた記録データ（データ面３００Ａに書き込まれた記録データや、データ面３００Ａから読み取られた記録データ）に付されたバージョン番号が取得され、取得されたバージョン番号を含むレーベル画像を表わす描画データが生成される。
【００９０】
生成された描画データは、データ変換器２１４に伝えられて階調画像データに変換され、レーザドライバ２１６に供給されて、レーザダイオード２０１ａの駆動信号が生成される。
【００９１】
続いて、ＤＶＤ３００´が回転されるとともに、光ピックアップ２０１がＤＶＤ３００´の脇まで移動され、レーザドライバ２１６で生成された駆動信号に従って、レーザダイオード２０１ａからレーザ光Ｌが照射／停止される。
【００９２】
図９のパート（Ｔ３２）に示すように、本実施形態のＤＶＤドライブでは、ミラー２２１，２２２がＤＶＤ３００´の端に配置されており、レーザダイオード２０１ａから発せられたレーザ光Ｌは、直接に一方のミラー２２２に入射し、他方のミラー２２１に向けて反射された後、ＤＶＤ３００´のレーベル面３００Ｂに照射される。その結果、レーベル面３００Ｂに、レーベル画像が描画される（図８のステップＳ３３）。
【００９３】
この例では、図９のパート（Ｔ３３）に示すように、レーベル面３００Ｂに、ＤＶＤ３００´のバージョン番号が描画されている。
【００９４】
このように、本実施形態によると、ＤＶＤ３００´のデータ面に対して情報アクセスを行った後、ＤＶＤ３００´を引っくり返さずに、記録データに応じたレーベル画像をレーベル面に描画することができる。また、描画されたレーベル画像を見ることで、ユーザはデータ面に記録されたデータのバージョン番号を容易に認識することができる。
【００９５】
ここで、上記では、ミラーを使ってレーザ光を導く例について説明したが、本発明にいう光案内部は、プリズムなどであってもよい。
【００９６】
また、上記では、ＤＶＤに光透過性を有する窓部を新たに設ける例について説明したが、本発明にいう窓部は、ＤＶＤなどといった記録媒体のデータ領域の内周や外周に既存に設けられている透明部分であってもよい。
【図面の簡単な説明】
【００９７】
【図１】本発明の画像描画装置の一実施形態が適用されたコンピュータシステムの外観斜視図である。
【図２】図１に示すＤＶＤドライブの内部構成を示すハードウェアブロック図である。
【図３】ＤＶＤの概略構成図である。
【図４】描画記録モードにおける一連の処理の流れを示すフローチャート図である。
【図５】ＤＶＤに施される処理を説明するための図である。
【図６】読取描画モードにおける一連の処理の流れを示すフローチャート図である。
【図７】ＤＶＤに施される処理を説明するための図である。
【図８】本発明の第２実施形態のＤＶＤドライブにおいて、「アクセス描画モード」でレーベル画像を描画する一連の処理の流れを示すフローチャート図である。
【図９】「アクセス描画モード」においてＤＶＤに施される処理を説明するための図である。
【符号の説明】
【００９８】
１０    コンピュータシステム
１００    パーソナルコンピュータ
１１０    本体装置
１１０ａ    ＦＤ装填口
１１０ｂ    ＣＤ−ＲＯＭ装填口
１１１    ＣＰＵ
１１２    主メモリ
１１３    ハードディスク装置
１１４    ＦＤドライブ
１１５    ＣＤ−ＲＯＭドライブ
１１６    Ｉ／Ｏインタフェース
１１７    バス
１２０    画像表示装置
１２１    表示画面
１３０    キーボード
１４０    マウス
２００    ＤＶＤドライブ
２００ａ    ＤＶＤ装填口
２０１    光ピックアップ
２０１ａ    レーザダイオード
２０１ｂ    受光素子
２０２    スピンドルモータ
２０３    回転検出器
２０４    ＲＦアンプ
２０５    デコーダ
２０６    サーボ回路
２０７    ステッピングモータ
２０８    モータドライバ
２０９    インタフェース回路
２１０    バッファメモリ
２１１    エンコーダ
２１２    ストラテジ回路
２１４    データ変換器
２１５    レーザパワー自動制御（ＡＬＰＣ）回路
２１６    レーザドライバ
２１８    制御回路
２２１，２２２    ミラー
３００    ＤＶＤ
３１０    半透膜
３２０    データ層
３３０    反射層
３４０    レーベル層
３５０    窓部
【図１】
2008090884.tif 000003
【図２】
2008090884.tif 000004
【図３】
2008090884.tif 000005
【図４】
2008090884.tif 000006
【図５】
2008090884.tif 000007
【図６】
2008090884.tif 000008
【図７】
2008090884.tif 000009
【図８】
2008090884.tif 000010
【図９】
2008090884.tif 000011